(57)【要約】【課題】情報処理装置において建仮データを一括で処理することが可能な仕組みを提供すること。【解決手段】情報処理装置１０１に各店舗で共通して使用する建仮データを複数登録しておき、更に当該建仮データに対応する建仮区分ごとに費用の配賦先を配賦パターンとして登録しておき、登録した建仮データの費用を配賦パターンに応じて配賦する。更に、配賦後の建仮データを固定資産に振り替える。その際には、建仮データの属性に応じて、償却方法と耐用年数を決定する。【選択図】図１３
2013120531.tif 000002
【特許請求の範囲】
【請求項１】
記憶手段を備え、会計処理を行う情報処理装置であって、
建設仮勘定として計上する費用の区分を示す建仮区分と、当該費用とを含む複数の建仮データの入力を受け付ける建仮データ入力受付手段と、
前記建仮データ入力受付手段で受け付けた複数の建仮データを建仮パターンとして前記記憶手段に登録する建仮パターン登録手段と、
前記建仮パターンに含まれる建仮データの費用の配賦先として、他の建仮データの建仮区分を当該建仮データごとに入力を受け付ける配賦先受付手段と、
前記配賦先受付手段で受け付けた建仮データごとの費用の配賦先を配賦パターンとして前記記憶手段に登録する配賦パターン登録手段と、
前記記憶手段に記憶された建仮パターンと、前記記憶手段に記憶された配賦パターンに基づいて、前記建仮パターンに含まれるすべての建仮データについて、前記建仮データの費用を前記配賦先受付手段で受け付けた配賦先に対して配賦する配賦手段と、
を備えることを特徴とする情報処理装置。
【請求項２】
前記情報処理装置は、
前記配賦手段によって配賦された建仮データを、当該建仮データの建仮区分に基づいて、固定資産に振り替える固定資産振替手段を更に備えることを特徴とする請求項１に記載の情報処理装置。
【請求項３】
前記配賦先受付手段は、配賦を複数回に分けて行うべく、配賦回数ごとに配賦先の入力を受け付け、
前記配賦手段は、配賦を複数回行う必要がある場合には、前記配賦先受付手段で受け付けた配賦回数に該当する配賦パターンに基づいて、配賦を行うことを特徴とする請求項１または２に記載の情報処理装置。
【請求項４】
前記配賦先受付手段は、複数の建仮区分に対しての入力を受け付けることを特徴とする請求項１乃至３のいずれか１項に記載の情報処理装置。
【請求項５】
記憶手段を備え、会計処理を行う情報処理装置の制御方法であって、
前記情報処理装置の建仮データ入力受付手段が、建設仮勘定として計上する費用の区分を示す建仮区分と、当該費用とを含む複数の建仮データの入力を受け付ける建仮データ入力受付ステップと、
前記情報処理装置の建仮パターン登録手段が、前記建仮データ入力受付ステップで受け付けた複数の建仮データを建仮パターンとして前記記憶手段に登録する建仮パターン登録ステップと、
前記情報処理装置の配賦先受付手段が、前記建仮パターンに含まれる建仮データの費用の配賦先として、他の建仮データの建仮区分を当該建仮データごとに入力を受け付ける配賦先受付ステップと、
前記情報処理装置の配賦パターン登録手段が、前記配賦先受付ステップで受け付けた建仮データごとの費用の配賦先を配賦パターンとして前記記憶手段に登録する配賦パターン登録ステップと、
前記情報処理装置の配賦手段が、前記記憶手段に記憶された建仮パターンと、前記記憶手段に記憶された配賦パターンに基づいて、前記建仮パターンに含まれるすべての建仮データについて、前記建仮データの費用を前記配賦先受付ステップで受け付けた配賦先に対して配賦する配賦ステップと、
を備えることを特徴とする情報処理装置の制御方法。
【請求項６】
記憶手段を備え、会計処理を行う情報処理装置の制御方法をコンピュータに実行させるためのコンピュータに読み取り実行可能なプログラムであって、
前記情報処理装置を、
建設仮勘定として計上する費用の区分を示す建仮区分と、当該費用とを含む複数の建仮データの入力を受け付ける建仮データ入力受付手段と、
前記建仮データ入力受付手段で受け付けた複数の建仮データを建仮パターンとして前記記憶手段に登録する建仮パターン登録手段と、
前記建仮パターンに含まれる建仮データの費用の配賦先として、他の建仮データの建仮区分を当該建仮データごとに入力を受け付ける配賦先受付手段と、
前記配賦先受付手段で受け付けた建仮データごとの費用の配賦先を配賦パターンとして前記記憶手段に登録する配賦パターン登録手段と、
前記記憶手段に記憶された建仮パターンと、前記記憶手段に記憶された配賦パターンに基づいて、前記建仮パターンに含まれるすべての建仮データについて、前記建仮データの費用を前記配賦先受付手段で受け付けた配賦先に対して配賦する配賦手段
として機能させることを特徴とするコンピュータに読み取り実行可能なプログラム。
【発明の詳細な説明】
【技術分野】
【０００１】
本発明は、会計処理を行う情報処理装置に関し、特に建設仮勘定を固定資産に振り替える際の配賦を効率化する情報処理装置、その制御方法、及びプログラムに関する。
【背景技術】
【０００２】
小売・流通では業界では、スクラップ・アンド・ビルドで店舗経営を行っており、同じ商圏のなかで不採算店舗を閉店（スクラップ）し、新規に出店（ビルド）しており、店舗の解体・建設が盛んに行われている。同じ什器を用いて、同じ店舗デザインで、新規店舗の建設を行う。経理業務としては、新店オープンに伴う大量の建設仮勘定データ（以下、建仮データ）を、固定資産に振り替えている。
【０００３】
建仮データは、固定資産に振り替える前に、配賦処理を行う。例えば、店舗の陳列棚、陳列ケースというものは、その物を購入する価格だけでなく、運賃や設置費用などが発生する。つまり、これらの費用を陳列棚と陳列ケースの購入価格に上乗せすることで、固定資産にかかった費用を計算する。このときに、運賃や設置費用の合計を陳列棚と陳列ケースの購入費用に対して按分して計算し、費用をまとめる。これを配賦という。
【０００４】
そこで、特許文献１では、購買管理データの中から、資産計上対象のデータを迅速に選択できるようにする仕組みが開示されている。
【先行技術文献】
【特許文献】
【０００５】
【特許文献１】特開２００５−２６６９２４号公報
【発明の概要】
【発明が解決しようとする課題】
【０００６】
新店のオープン時には、このように建仮データを大量に処理する必要があり、表計算アプリケーションなどに建仮データを入力し、データを１件毎に確認しながら、計算式や関数等を編集して集計を行っているため、処理に時間がかかっている。
【０００７】
新店の現場は多忙を極めることから、経理部門への報告が遅くなり、経理部で事務作業を行える時間が短いことが多い。時間の少ない状況で、急いで、建仮データを手作業で固定資産に整理すると、人為的なミスが発生し、誤った金額で固定資産に計上してしまうことがある。
【０００８】
経理部門では内部統制を働かせる必要があるが、作業負荷が高く、二重チェックなどの対応はコスト面から難しく、統制を働かせるためにはシステム化が必要である。
【０００９】
本発明は上記の課題を解決するためになされたもので、建仮データを一括で処理することが可能な仕組みを提供することを目的とする。
【課題を解決するための手段】
【００１０】
上記の目的を達成するために、本発明の情報処理装置は、記憶手段を備え、会計処理を行う情報処理装置であって、建設仮勘定として計上する費用の区分を示す建仮区分と、当該費用とを含む複数の建仮データの入力を受け付ける建仮データ入力受付手段と、前記建仮データ受付手段で受け付けた複数の建仮データを建仮パターンとして前記記憶手段に登録する建仮パターン登録手段と、前記建仮パターンに含まれる建仮データの費用の配賦先として、他の建仮データの建仮区分を当該建仮データごとに入力を受け付ける配賦先受付手段と、前記配賦先受付手段で受け付けた建仮データごとの費用の配賦先を配賦パターンとして前記記憶手段に登録する配賦パターン登録手段と、前記記憶手段に記憶された建仮パターンと、前記記憶手段に記憶された配賦パターンに基づいて、前記建仮パターン含まれるすべての建仮データについて、前記建仮データの費用を前記配賦先受付手段で受け付けた配賦先に対して配賦する配賦手段と、を備えることを特徴とする。
【発明の効果】
【００１１】
本発明によれば、情報処理装置にあらかじめ建仮データと、建仮データの配賦パターンとを記憶しておき、配賦パターンに基づいて建仮データを配賦することができるので、一度に大量の建仮データを正確に配賦でき、固定資産に振り替えることの可能な効果を奏する。
【図面の簡単な説明】
【００１２】
【図１】本発明の実施形態における情報処理装置１０１のハードウェア構成の一例を示す構成図である。
【図２】図１に示す情報処理装置１０１のモジュール構成の一例を示す構成図である。
【図３】本実施例における情報処理装置１０１の一連の処理の流れを示すフローチャートである。
【図４】情報処理装置１０１における建仮パターン登録処理の一例を示すフローチャートである。
【図５】情報処理装置１０１における配賦パターン登録処理の一例を示すフローチャートである。
【図６】情報処理装置１０１における建仮一括登録処理の一例を示すフローチャートである。
【図７】情報処理装置１０１における建仮配賦処理の一例を示すフローチャートである。
【図８】情報処理装置１０１における科目振替処理の一例を示すフローチャートである。
【図９】情報処理装置１０１に記憶された各種テーブル構成の一例を示す構成図である。
【図１０】情報処理装置１０１における建仮パターン登録画面（店舗工事）の一例を示す構成図である。
【図１１】情報処理装置１０１における配賦パターン登録画面（店舗工事）の一例を示す構成図である。
【図１２】情報処理装置１０１における建仮一括登録画面（店舗工事）の一例を示す構成図である。
【図１３】情報処理装置１０１における建仮配賦画面（店舗工事）の一例を示す構成図である。
【図１４】情報処理装置１０１における科目振替画面（店舗工事）の一例を示す構成図である。
【発明を実施するための形態】
【００１３】
以下、図面を参照しながら、本発明の実施の形態について説明する。
【００１４】
まず、本発明の実施形態に係る情報処理装置１０１の概要構成について説明する。図１は、本発明の実施形態に係る情報処理装置１０１の概要構成の一例を示す模式図である。
【００１５】
情報処理装置１０１は、会計アプリケーションを実行する装置である。会計アプリケーションは後述する図１のＲＯＭ２０２または外部メモリ２１１に記憶されており、操作者（以下、ユーザ）からの指示に応じて、ＣＰＵ２０１がＲＡＭ２０３に読み出して各種動作を行う。
【００１６】
会計アプリケーションは、ユーザからの操作に応じて、会計関連の情報管理等を行う。本実施例においては会計関連の情報を基に説明するが、これに限らない。尚、会計アプリケーションで表示する各種情報は情報処理装置１０１と通信可能に接続されたサーバに記憶されても、情報処理装置１０１の外部メモリ２１１に記憶されてもよい。本実施例では、情報処理装置１０１の外部メモリ２１１に記憶されているものとして、以下説明を行う。
【００１７】
ＣＰＵ２０１は、システムバス２０４に接続される各デバイスやコントローラを統括的に制御する。
【００１８】
また、ＲＯＭ２０２あるいは外部メモリ２１１には、ＣＰＵ２０１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ２０３は、ＣＰＵ２０１の主メモリ、ワークエリア等として機能する。
【００１９】
ＣＰＵ２０１は、処理の実行に際して必要なプログラム等をＲＡＭ２０３にロードして、プログラムを実行することで各種動作を実現するものである。
【００２０】
また、入力コントローラ（入力Ｃ）２０５は、キーボード２０９や不図示のマウス等のポインティングデバイスからの入力を制御する。
【００２１】
ビデオコントローラ（ＶＣ）２０６は、ＣＲＴディスプレイ（ＣＲＴ）２１０等の表示器への表示を制御する。表示器はＣＲＴだけでなく、液晶ディスプレイでも構わない。これらは必要に応じて管理者が使用するものである。
【００２２】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるコンパクトフラッシュメモリ等の外部メモリ２１１へのアクセスを制御する。
【００２３】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００２４】
尚、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２５】
本発明の情報処理装置１０１が後述する各種処理を実行するために用いられる各種プログラム等は外部メモリ２１１に記録されており、必要に応じてＲＡＭ２０３にロードされることによりＣＰＵ２０１によって実行されるものである。さらに、本発明に係わるプログラムが用いる定義ファイルや各種情報テーブルは外部メモリ２１１に格納されている。
【００２６】
次に、情報処理装置１０１のモジュール構成を示す機能構成図について、図２を用いて説明する。尚、図２のモジュール構成は一例であり、用途や目的に応じて様々な構成例があることは言うまでもない。
【００２７】
情報処理装置１０１は、記憶モジュール３０１、画面表示モジュール３０２、建仮パターン登録モジュール３０３、配賦パターン登録モジュール３０４、配賦モジュール３０５、及び固定資産振替モジュール３０６を備える。
【００２８】
記憶モジュール３０１は、図９に示す各種テーブルやデータ、その他画面などを記憶するためのモジュールである（記憶手段）。画面表示モジュール３０２は、記憶モジュール３００１で記憶された各種テーブルやデータに基づいて画面を生成し、情報処理装置１０１のＣＲＴ２１０に表示するためのモジュールである。
【００２９】
建仮パターン登録モジュール３０３は、後述する建仮パターン登録処理において、複数件の建仮データを１つの建仮パターンとして登録するためのモジュールである。配賦パターン登録モジュール３０４は、後述する配賦パターン登録処理において、複数件の建仮データの費用の配賦元と配賦先を１つの配賦パターンとして登録しておくためのモジュールである。
【００３０】
配賦モジュール３０５は、建仮パターン登録モジュール３０３で登録された建仮パターンと、配賦パターン登録モジュール３０４で登録された配賦パターンとに基づいて、配賦処理を行うためのモジュールである。固定資産振替モジュール３０６は、配賦後に建仮データを固定資産に振り替えるためのモジュールである。
【００３１】
次に、本実施形態における建仮システムの全体の流れを説明する。事前に、複数件の建仮データを登録することで建仮パターンを作成する。そして、建仮一括登録画面で建仮データの金額を補正し、一括で登録する。建仮データには建仮区分（工事前費用・前渡金・仮設工事・本体工事・追加工事費など）を設定することができる。
【００３２】
予め建仮区分単位で配賦元・配賦先について配賦パターンを登録しておき、登録された建仮データを配賦パターンに従って、決済金額を基準に配賦することができる。
【００３３】
また、資産判定を行うと、金額によって資産・費用の自動判定が行われる。資産として判定されたデータは画面から償却方法・耐用年数が自動で設定される。以下、これらの仕組みについて説明を行う。
【００３４】
まず、本発明の実施例における情報処理装置１０１によって行われる一連の処理について、図３に示すフローチャートを用いて説明する。尚、Ｓ３０１乃至Ｓ３１３の各ステップは情報処理装置１０１におけるＣＰＵ２０１の制御の下、処理が行われる。
【００３５】
図３において、ステップＳ３０１はメインメニューで、ユーザがメニューから機能を選択した場合、該当機能を呼び出す。ステップＳ３０２で、ユーザがメニューから機能を選択したか確認する。
【００３６】
ステップＳ３０３では、選択されたメニューが「建仮パターン登録」であるか確認し、該当する場合は、ステップＳ３０９で、「建仮パターン登録」の機能を呼び出す。「建仮パターン登録」では、事前に店舗ごとの建仮のパターンを設定する。画面で設定した建仮パターンは、建仮パターンテーブルに保存される。本機能で設定された建仮パターンを元に、「建仮一括登録」にて一括で建仮データを登録する。建仮パターン登録処理の詳細は、後述する図４に示す。
【００３７】
ステップＳ３０４では、選択されたメニューが「配賦パターン登録」であるか確認し、該当する場合は、ステップＳ３１０で、「配賦パターン登録」の機能を呼び出す。「配賦パターン登録」では、事前に店舗ごとの配賦のパターンを設定する。画面で設定した配賦パターンは、配賦パターンテーブルに保存される。本機能で設定された配賦パターンを元に、「建仮配賦」にて一括で建仮データに対して配賦処理を行う。配賦パターン登録処理の詳細は、後述する図５に示す。
【００３８】
ステップＳ３０５では、選択されたメニューが「建仮一括登録」であるか確認し、該当する場合は、ステップＳ３１１で、「建仮一括登録」の機能を呼び出す。「建仮一括登録」は、建仮パターンテーブルからテンプレートを呼び出して、画面で金額などを変更し、建仮データを一括で登録する。画面で登録したデータは、建仮台帳テーブルに保存される。建仮一括登録処理の詳細は、後述する図６に示す。
【００３９】
ステップＳ３０６では、選択されたメニューが「建仮配賦」であるか確認し、該当する場合は、ステップＳ３１２で、「建仮配賦」の機能を呼び出す（配賦手段）。「建仮配賦」は、配賦パターンテーブルから配賦パターンを呼び出して、建仮区分をキーに、建仮データを配賦する。配賦結果は、建仮配賦結果テーブルに保存される。建仮配賦処理の詳細は、後述する図７に示す。
【００４０】
ステップＳ３０７では、選択されたメニューが「科目振替」であるか確認し、該当する場合は、ステップＳ３１３で、「科目振替」の機能を呼び出す（固定資産振替手段）。「科目振替」は、建仮データを建仮配賦結果テーブルのデータを元に画面に表示し、金額判断により、資産・費用の判定を行う。資産の判定となった場合は、償却情報マスタから償却方法・耐用年数が自動で設定される。科目振替処理の詳細は、後述する図８に示す。
【００４１】
ステップＳ３０８では、選択されたメニューが「終了」であるか確認し、終了が指示された場合には、本一連の処理を終了する。
【００４２】
次に、建仮パターン登録処理について、図４に示すフローチャートを用いて説明する。尚、Ｓ４０１乃至Ｓ４０４の各ステップは情報処理装置１０１におけるＣＰＵ２０１の制御の下、処理が行われる。
【００４３】
図４では建仮パターン登録画面１０００（図１０参照）（建仮データ入力受付手段）での処理について説明する。本処理はキーとなる建仮パターンコードを入力し、それに紐付く建仮データを入力する。登録ボタン１００３を押下すると、画面で入力した建仮パターンが、図９に示す建仮パターンテーブルに保存される。
【００４４】
図９に示すように、建仮パターンテーブルは、建仮パターンコード９０１，パターン名称９０２，建仮名称９０３，建仮区分９０４，資産区分９０５，種類９０６，構造用途９０７，細目９０８，店舗コード９０９，金額９１０等の情報から構成される。
【００４５】
以下に建仮パターンに関しての概要を記載する。建仮パターンとは、小売・流通の店舗開発では同じ造りで店舗を構築することが多く、どのような工事や備品を購入するのか設定しておくことで、簡単に店舗の建仮データを登録できるようにするものである。
【００４６】
ステップＳ４０１で、ユーザが登録ボタンを押下したか確認し、押下した場合は、Ｓ４０２以降の処理を行う。
【００４７】
ステップＳ４０２では、上記建仮パターン登録画面にてユーザ操作により入力された建仮パターン、パターン名、建仮名称、建仮区分、資産区分、種類、構造用途、細目、店舗、金額を取得する。取得した建仮パターン、パターン名、建仮名称、建仮区分、資産区分、種類、構造用途、細目、店舗、金額に誤りがないか、入力チェックを行う。
【００４８】
ステップＳ４０３では、Ｓ４０２で行った入力チェックで不正なデータがあった場合は、画面で再入力を求めて、正常なデータであった場合は、Ｓ４０４の処理を行う。
【００４９】
ステップＳ４０４で取得した建仮パターン、パターン名、建仮名称、建仮区分、資産区分、種類、構造用途、細目、店舗、金額を建仮パターンテーブルに保存する（建仮パターン登録手段）。
【００５０】
次に、配賦パターン登録処理について、図５に示すフローチャートを用いて説明する。尚、Ｓ５０１乃至Ｓ５０４の各ステップは情報処理装置１０１におけるＣＰＵ２０１の制御の下、処理が行われる。
【００５１】
図５では配賦パターン登録画面１１００（図１１参照）（配賦先受付手段）での処理について説明する。本処理はキーとなる建仮パターンコードを入力し、それに紐付く配賦パターンを入力する。登録ボタン１１０３を押下すると、画面で入力した配賦パターンが、図９に示す建仮配賦パターンテーブルに保存される。
【００５２】
図９に示すように、建仮配賦パターンテーブルは、建仮パターンコード９１１，建仮区分９１２，１回目配賦元９１３，１回目配賦先９１４，２回目配賦元９１５，２回目配賦先９１６，３回目配賦元９１７，３回目配賦先９１８，４回目配賦元９１９，４回目配賦先９２０，５回目配賦元９２１，５回目配賦先９２２等の情報から構成される。配賦回数は任意に設定でき、その回数に応じて項目が増減する。本実施例では５回配賦を行うものとする。
【００５３】
以下に建仮配賦パターンに関しての概要を記載する。建仮配賦パターンとは、小売・流通の店舗開発では同じ造りで店舗を構築することが多く、建仮パターンと同様に、工事や備品に対してどのような配賦をするのか設定しておくことで、簡単に店舗の建仮データを配賦できるようにするものである。
【００５４】
ステップＳ５０１で、ユーザが登録ボタンを押下したか確認し、押下した場合は、Ｓ５０２以降の処理を行う。
【００５５】
ステップＳ５０２では、上記配賦パターン登録画面にてユーザ操作により入力された建仮パターンコード、建仮区分、１回目配賦元、１回目配賦先、２回目配賦元、２回目配賦先、３回目配賦元、３回目配賦先、４回目配賦元、４回目配賦先、５回目配賦元、５回目配賦先を取得する。取得した建仮パターンコード、建仮区分、１回目配賦元、１回目配賦先、２回目配賦元、２回目配賦先、３回目配賦元、３回目配賦先、４回目配賦元、４回目配賦先、５回目配賦元、５回目配賦先に誤りがないか、入力チェックを行う。
【００５６】
ステップＳ５０３では、ステップＳ５０２で行った入力チェックで不正なデータがあった場合は、画面で再入力を求めて、正常なデータであった場合は、Ｓ５０４の処理を行う。
【００５７】
ステップＳ５０４で取得した建仮パターンコード、建仮区分、１回目配賦元、１回目配賦先、２回目配賦元、２回目配賦先、３回目配賦元、３回目配賦先、４回目配賦元、４回目配賦先、５回目配賦元、５回目配賦先を建仮配賦パターンテーブルに保存する（配賦パターン登録手段）。
【００５８】
次に、建仮一括登録処理について、図６に示すフローチャートを用いて説明する。尚、Ｓ６０１乃至Ｓ６０４の各ステップは情報処理装置１０１におけるＣＰＵ２０１の制御の下、処理が行われる。
【００５９】
図６では建仮一括登録画面１２００（図１２参照）での処理について説明する。本処理は、建仮パターンコードを入力すると、建仮パターンテーブルから、それに紐付く建仮パターンデータが取得されて画面に表示される。画面に表示された建仮データを、ユーザ操作によって変更することができる。登録ボタン１２０３を押下すると、画面に表示されている建仮データが、図９に示す建仮台帳テーブルに保存される。
【００６０】
図９に示すように、建仮台帳テーブルは、建仮番号９２３，枝番９２４，建仮計上日９２５，建仮名称９２６，建仮区分９２７，資産区分９２８，種類９２９，構造用途９３０，細目９３１，店舗コード９３２，金額９３３等の情報から構成される。
【００６１】
以下に建仮台帳に関しての概要を記載する。建仮台帳とは、建仮データを保存しておく台帳である。ステップＳ６０１で、ユーザが登録ボタンを押下したか確認し、押下した場合は、Ｓ６０２以降の処理を行う。
【００６２】
ステップＳ６０２では、上記建仮一括登録画面にてユーザ操作により入力された建仮番号、枝番、建仮計上日、建仮名称、建仮区分、資産区分、種類、構造用途、細目、店舗、店舗名、金額を取得する。取得した建仮番号、枝番、建仮計上日、建仮名称、建仮区分、資産区分、種類、構造用途、細目、店舗、店舗名、金額に誤りがないか、入力チェックを行う。
【００６３】
ステップＳ６０３では、Ｓ６０２で行った入力チェックで不正なデータがあった場合は、画面で再入力を求めて、正常なデータであった場合は、Ｓ６０４の処理を行う。
【００６４】
ステップＳ６０４で取得した建仮番号、枝番、建仮計上日、建仮名称、建仮区分、資産区分、種類、構造用途、細目、店舗、店舗名、金額を建仮台帳テーブルに保存する。
【００６５】
次に、建仮配賦処理について、図７に示すフローチャートを用いて説明する。尚、Ｓ７０１乃至Ｓ７０７の各ステップは情報処理装置１０１におけるＣＰＵ２０１の制御の下、処理が行われる。
【００６６】
図７では建仮配賦画面１３００（図１３参照）での処理について説明する。本処理は、建仮パターンコードを入力すると、配賦パターンテーブルから、それに紐付く配賦パターンデータが取得されて画面に表示される。画面に表示された配賦元・配賦先を、ユーザ操作によって変更することができる。配賦ボタン１３０４を押下すると、画面に表示されている建仮データが配賦されて、画面に配賦結果が表示される。登録ボタン１３０５を押下すると、画面に表示されている配賦結果が図９に示す建仮配賦結果テーブルに保存される。
【００６７】
図９に示すように、建仮配賦結果テーブルは、建仮番号９３４，枝番９３５，１回目配賦金額９３６，２回目配賦金額９３７，３回目配賦金額９３８，４回目配賦金額９３９，５回目配賦金額９４０等の情報から構成される。
【００６８】
以下に建仮配賦結果に関しての概要を記載する。建仮配賦結果とは、建仮データをユーザ操作により設定した配賦元・配賦先にしたがって、配賦計算した結果である。
【００６９】
ステップＳ７０１で、ユーザが登録ボタンを押下したか確認し、押下した場合は、Ｓ７０２以降の処理を行う。
【００７０】
ステップＳ７０２では、ループ回数を保持する変数を定義し、初期値は１でカウントアップを行う。画面から、ループ回数に該当する配賦元・配賦先の建仮区分を取得する。画面にループ回数に該当する配賦元・配賦先が設定されていない場合（ＮＵＬＬ値）の場合、ループを終了する。
【００７１】
ステップＳ７０３では、配賦元の建仮区分に該当する建仮データの金額を、画面から取得し、金額を合計して、配賦元金額の変数に格納する。１回目の場合、金額の項目からデータを取得し、１回目以降の場合は、ループ回数よりも１回分前の配賦先金額のデータを取得し、配賦元金額の変数に格納する。
【００７２】
また配賦先の建仮区分に該当する建仮データの金額を取得し、配賦先金額の変数（配列型）にそれぞれ格納する。１回目の場合、金額の項目からデータを取得し、１回目以降の場合は、ループ回数よりも１回分前の配賦先金額のデータを取得し、配賦先金額の変数に格納する。
【００７３】
配賦先金額の変数（配列型）の金額を合計し、配賦先金額の合計の変数に格納する。以下の算式から配賦後の金額を計算し、配賦結果を配賦結果変数（配列型）に格納する。つまり、「配賦結果＝配賦元金額の変数×配賦先金額の変数÷配賦先金額の合計の変数」となる。
【００７４】
ステップＳ７０４では、ステップＳ７０３で計算した配賦結果の金額を画面に表示する。ループ回数と同じ回数の配賦先金額に、配賦結果変数の金額を表示する。また配賦元・配賦先のいずれでもなかった建仮データについて、ループ回数よりも１回分前の配賦先金額を、ループ回数と同じ回数の配賦先金額に表示する。
【００７５】
ステップＳ７０５では、ループのスタートであるステップＳ７０２に戻る（終了判定はステップＳ７０２で行う）。
【００７６】
ステップＳ７０６では、画面に表示された配賦結果をユーザが確認し、問題がなければ、登録ボタンの押下を受け付ける。押下された場合には、ステップＳ７０７では、画面に表示された配賦結果（建仮番号、枝番、１回目配賦金額、２回目配賦金額、３回目配賦金額、４回目配賦金額、５回目配賦金額）を配賦結果テーブルに更新する。
【００７７】
次に、科目配賦処理について、図８に示すフローチャートを用いて説明する。尚、Ｓ８０１乃至Ｓ８０９の各ステップは情報処理装置１０１におけるＣＰＵ２０１の制御の下、処理が行われる。
【００７８】
図８では科目振替画面１４００（図１４参照）での処理について説明する。本処理は、店舗コードを入力すると、建仮台帳テーブルと配賦結果テーブルを結合し、店舗コードを条件にデータが取得されて画面に表示される。判定ボタン１４０３を押下すると、画面に表示されている建仮データについて資産・費用の判定が行われて、画面に判定結果が表示される。資産と判定された場合、償却情報マスタから種類、構造用途、細目をキーに償却方法、耐用年数を取得し、画面に表示する。登録ボタン１４０４を押下すると、判定結果が資産となっているデータについて、固定資産台帳テーブルに保存される。判定結果が費用となっているデータについて、費用振替テーブルに保存される。
【００７９】
図９に示すように、償却情報マスタは、種類９４１，構造用途９４２，細目９４３，償却方法９４４，耐用年数９４５等の情報から構成される。
【００８０】
以下に償却情報に関しての概要を記載する。償却情報とは、種類・構造用途・細目に応じて決定される償却方法・耐用年数である。
【００８１】
図９に示すように、固定資産台帳テーブルは、固定資産番号９４６，枝番９４７，資産名称９４８，種類９４９，構造用途９５０，細目９５１，店舗コード９５２，取得日９５３，金額９５４，償却方法９５５，耐用年数９５６等の情報から構成される。
【００８２】
以下に固定資産台帳に関しての概要を記載する。固定資産台帳とは、固定資産データを保存しておく台帳である。
【００８３】
図９に示すように、費用振替テーブルは、建仮番号９５７，枝番９５８，名称９５９，種類９６０，構造用途９６１，細目９６２，店舗９６３，金額９６４等の情報から構成される。
【００８４】
以下に費用振替に関しての概要を記載する。費用振替とは、配賦計算の結果、固定資産とはならず、費用に振り替えることになったデータを保存しておく台帳である。
【００８５】
ステップＳ８０１で、ユーザが登録ボタンを押下したか確認し、押下した場合は、Ｓ８０２以降の処理を行う。
【００８６】
ステップＳ８０２では、上記科目振替画面に表示されている金額を取得し、２０万円以上の場合は固定資産、２０万円未満の場合は備品費と判定する。この判定結果を、判定結果の変数（配列型）に格納する。
【００８７】
ステップＳ８０３では、ステップＳ８０２で判定処理した結果（判定結果の変数の値）を画面に表示する。
【００８８】
ステップＳ８０４では、ステップＳ８０２で判定処理した結果（判定結果の変数の値）に応じて処理を分岐する。判定結果の変数が「固定資産」の場合、ステップＳ８０５、ステップＳ８０６の処理を行う。判定結果の変数が「備品費」の場合、ステップＳ８０５、ステップＳ８０６の処理は行わず、Ｓ８０７の処理を行う。
【００８９】
ステップＳ８０５では、上記科目振替画面に表示されている種類・構造用途・細目を取得する。償却情報マスタから種類・構造用途・細目をキーに、償却方法・耐用年数を取得する。
【００９０】
ステップＳ８０６では、ステップＳ８０５で償却情報マスタから取得した償却方法・耐用年数を画面の償却方法・耐用年数に表示する。
【００９１】
ステップＳ８０７では、画面に表示されている情報に問題がなければ、登録ボタン１４０４の押下を受け付ける。名称、資産振替判定、取得日、償却方法、耐用年数は画面で入力し直すことも可能とする。
【００９２】
ステップＳ８０８では、ユーザ操作により入力された建仮番号、枝番、名称、種類、構造用途、細目、店舗、金額、資産振替判定、取得日、償却方法、耐用年数を取得する。取得した資産振替判定が「固定資産」の場合、建仮番号、枝番、名称、種類、構造用途、細目、店舗、金額、取得日、償却方法、耐用年数が固定資産情報として誤りがないか、入力チェックを行う。また、取得した資産振替判定が「備品費」の場合、建仮番号、枝番、名称、種類、構造用途、細目、店舗、金額が備品費情報として誤りがないか、入力チェックを行う。
【００９３】
ステップＳ８０９で取得した資産振替判定が「固定資産」の場合、建仮番号、枝番、名称、種類、構造用途、細目、店舗、金額、取得日、償却方法、耐用年数を固定資産台帳テーブルに更新する。また、取得した資産振替判定が「備品費」の場合、建仮番号、枝番、名称、種類、構造用途、細目、店舗、金額を費用振替テーブルに更新する。
【００９４】
以上説明したように、本発明によれば、情報処理装置にあらかじめ建仮データと、建仮データの配賦パターンとを記憶しておき、配賦パターンに基づいて建仮データを配賦することができるので、一度に大量の建仮データを正確に配賦でき、固定資産に振り替えることのできる効果を奏する。
【００９５】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【００９６】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【００９７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００９８】
その場合、プログラムの機能を有していれば、オブジェクトコード、インタプリタにより実行されるプログラム、ＯＳに供給するスクリプトデータ等の形態であってもよい。
【００９９】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１００】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１０１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明に含まれるものである。
【０１０２】
また、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１０３】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１０４】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１０５】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１０６】
１０１  情報処理装置
２０１  ＣＰＵ
２０２  ＲＡＭ
２０３  ＲＯＭ
２０４  システムバス
２０５  入力コントローラ
２０６  ビデオコントローラ
２０７  メモリコントローラ
２０８  通信Ｉ／Ｆ（インターフェース）コントローラ
２０９  入力装置
２１０  ディスプレイ装置
２１１  外部メモリ
【図１】
2013120531.tif 000003
【図２】
2013120531.tif 000004
【図３】
2013120531.tif 000005
【図４】
2013120531.tif 000006
【図５】
2013120531.tif 000007
【図６】
2013120531.tif 000008
【図７】
2013120531.tif 000009
【図８】
2013120531.tif 000010
【図９】
2013120531.tif 000011
【図１０】
2013120531.tif 000012
【図１１】
2013120531.tif 000013
【図１２】
2013120531.tif 000014
【図１３】
2013120531.tif 000015
【図１４】
2013120531.tif 000016